(57)【要約】【課題】タンクコンテナの構造を簡素化できると共にタンクコンテナの製造コストを低減できるタンクコンテナ用漏液回収具を提供すること。【解決手段】タンクコンテナ用漏液回収具１によれば、必要に応じてタンクコンテナ１００に取り付けることができ、タンクコンテナ１００の取出口１０３から漏れ出した漏液を回収できる。よって、従来のように、漏液の回収機構をタンクコンテナ１００自体に設ける必要がなく、その分、タンクコンテナ１００の構造を簡素化できる。更に、タンクコンテナ１００に取出口１０３が複数設けられている場合でも、タンクコンテナ用漏液回収具１を各取出口１０３に使い回して使用できるので、複数の取出口１０３から漏れ出した漏液を一括して回収可能な大型の回収機構や各取出口１０３に対応した複数の回収機構を必要とせず、その分、タンクコンテナ１００の製造コストを低減できる。【選択図】図３
2010285171.tif 000002
【特許請求の範囲】
【請求項１】
枠状に構成されるフレームと、そのフレームに支持され液体を貯留するタンクと、そのタンクに貯留された液体を外部へ取り出す取出口とを備えるタンクコンテナに使用されるものであって、前記取出口から漏れ出した漏液を回収するタンクコンテナ用漏液回収具において、
前記タンクコンテナのフレームに係止可能に構成される係止部を有し、その係止部を前記フレームに係止することで前記フレームに取り付けられる基体と、
その基体に固定されると共に上方が開放された回収空間を形成する容器状に構成され、前記基体が前記タンクコンテナのフレームに取り付けられた状態において前記取出口の下方に配置される受皿と、
その受皿に接続されると共に前記受皿の回収空間に連通される流路を形成する配管とを備えていることを特徴とするタンクコンテナ用漏液回収具。
【請求項２】
前記受皿は、前記回収空間の側面を形成する内側面が外方へ向けて凸状に屈曲して構成されると共に、前記回収空間の底面を形成する内底面が前記内側面側へ向かうに従って下降傾斜して構成され、
前記配管の流路は、前記受皿の前記内側面の屈曲部近傍において前記回収空間に連通されていることを特徴とする請求項１記載のタンクコンテナ用漏液回収具。
【請求項３】
前記配管の端部であって前記受皿に接続される端部とは反対の端部側に突設される突起部を備えていることを特徴とする請求項１又は２に記載のタンクコンテナ用漏液回収具。
【請求項４】
前記突起部は、前記基体が前記タンクコンテナのフレームに取り付けられた状態において前記フレームに対して所定方向側に配置され、
前記基体の係止部は、前記基体が前記タンクコンテナのフレームに取り付けられた状態において前記所定方向側および前記所定方向と反対方向側から前記フレームに係止可能に構成されていることを特徴とする請求項３記載のタンクコンテナ用漏液回収具。
【請求項５】
作業者が把持可能に構成される一対の把持部を備え、
それら一対の把持部は、前記基体が前記タンクコンテナのフレームに取り付けられた状態において垂直方向に延設される垂直部と、その垂直部の延設方向と直交する水平方向に延設される水平部とを備えていることを特徴とする請求項１から４のいずれかに記載のタンクコンテナ用漏液回収具。
【発明の詳細な説明】
【技術分野】
【０００１】
本発明は、タンクコンテナに使用されるタンクコンテナ用漏液回収具に関し、特に、タンクコンテナの構造を簡素化できると共にタンクコンテナの製造コストを低減できるタンクコンテナ用漏液回収具に関するものである。
【背景技術】
【０００２】
従来より、貨物を輸送するためのコンテナの一種として、液体を貯留するタンクを備えたタンクコンテナが知られている。この種のタンクコンテナに関し、例えば、特許文献１には、タンクに貯留された液体を外部へ取り出す際、取出口から漏れ出した漏液を受けるスピルボックスと、そのスピルボックスに受けた漏液を外部へ排出するドレンホースとを有する漏液の回収機構を備えたタンクコンテナが開示されている。
【先行技術文献】
【特許文献】
【０００３】
【特許文献１】特開２００３−２９２０８９号
【発明の概要】
【発明が解決しようとする課題】
【０００４】
しかしながら、特許文献１に開示されるタンクコンテナのように、漏液の回収機構をタンクコンテナ自体に設ける場合には、部品点数の増加に伴い、タンクコンテナの構造が複雑化してしまうという問題点があった。また、タンクコンテナに取出口が複数設けられている場合には、それら複数の取出口から漏れ出した漏液を一括して回収可能な大型の回収機構や各取出口に対応して複数の回収機構が必要となり、その分、タンクコンテナの製造コストが嵩むという問題点があった。
【０００５】
本発明は、上述した問題点を解決するためになされたものであり、タンクコンテナの構造を簡素化できると共にタンクコンテナの製造コストを低減できるタンクコンテナ用漏液回収具を提供することを目的としている。
【課題を解決するための手段】
【０００６】
この目的を達成するために、請求項１記載のタンクコンテナ用漏液回収具は、枠状に構成されるフレームと、そのフレームに支持され液体を貯留するタンクと、そのタンクに貯留された液体を外部へ取り出す取出口とを備えるタンクコンテナに使用され、前記取出口から漏れ出した漏液を回収するものであって、前記タンクコンテナのフレームに係止可能に構成される係止部を有し、その係止部を前記フレームに係止することで前記フレームに取り付けられる基体と、その基体に固定されると共に上方が開放された回収空間を形成する容器状に構成され、前記基体が前記タンクコンテナのフレームに取り付けられた状態において前記取出口の下方に配置される受皿と、その受皿に接続されると共に前記受皿の回収空間に連通される流路を形成する配管とを備えている。
【０００７】
請求項２記載のタンクコンテナ用漏液回収具は、請求項１記載のタンクコンテナ用漏液回収具において、前記受皿は、前記回収空間の側面を形成する内側面が外方へ向けて凸状に屈曲して構成されると共に、前記回収空間の底面を形成する内底面が前記内側面側へ向かうに従って下降傾斜して構成され、前記配管の流路は、前記受皿の前記内側面の屈曲部近傍において前記回収空間に連通されている。
【０００８】
請求項３記載のタンクコンテナ用漏液回収具は、請求項１又は２に記載のタンクコンテナ用漏液回収具において、前記配管の端部であって前記受皿に接続される端部とは反対の端部側に突設される突起部を備えている。
【０００９】
請求項４記載のタンクコンテナ用漏液回収具は、請求項３記載のタンクコンテナ用漏液回収具において、前記突起部は、前記基体が前記タンクコンテナのフレームに取り付けられた状態において前記フレームに対して所定方向側に配置され、前記基体の係止部は、前記基体が前記タンクコンテナのフレームに取り付けられた状態において前記所定方向側および前記所定方向と反対方向側から前記フレームに係止可能に構成されている。
【００１０】
請求項５記載のタンクコンテナ用漏液回収具は、請求項１から４のいずれかに記載のタンクコンテナ用漏液回収具において、作業者によって把持可能に構成される一対の把持部を備え、それら一対の把持部は、前記基体が前記タンクコンテナのフレームに取り付けられた状態において垂直方向に延設される垂直部と、その垂直部の延設方向と直交する水平方向に延設される水平部とを備えている。
【発明の効果】
【００１１】
請求項１記載のタンクコンテナ用漏液回収具によれば、受皿が取出口の下方に配置されるように基体がタンクコンテナのフレームに取り付けられることで、タンクコンテナの取出口から漏れ出した漏液を受皿に受けることができると共に、受皿に受けた漏液を配管により外部へ排出することができる。このように、本発明におけるタンクコンテナ用漏液回収具によれば、必要に応じてタンクコンテナに取り付けることができ、タンクコンテナの取出口から漏れ出した漏液を回収することができる。よって、従来のように、漏液の回収機構をタンクコンテナ自体に設ける必要がなく、その分、タンクコンテナの構造を簡素化できるという効果がある。
【００１２】
更に、タンクコンテナに取出口が複数設けられている場合でも、タンクコンテナ用漏液回収具を各取出口に使い回して使用できるので、複数の取出口から漏れ出した漏液を一括して回収可能な大型の回収機構や各取出口に対応した複数の回収機構を必要とせず、その分、タンクコンテナの製造コストを低減できるという効果がある。
【００１３】
また、基体をタンクコンテナのフレームに取り付ける場合に、基体の係止部をタンクコンテナのフレームに係止することで、基体をフレームに固定することができる。よって、基体を安定した状態でタンクコンテナのフレームに取り付けることができるという効果がある。
【００１４】
請求項２記載のタンクコンテナ用漏液回収具によれば、請求項１記載のタンクコンテナ用漏液回収具の奏する効果に加え、受皿は、回収空間の側面を形成する内側面が外方へ向けて凸状に屈曲して構成されると共に、回収空間の底面を形成する内底面が内側面側へ向かうに従って下降傾斜して構成されているので、受皿に受けた漏液を内底面の傾斜に沿って内側面側へ向けて流下させると共に、内側面側へ向けて流下させた漏液を内側面に沿ってその屈曲部へと導くことができる。よって、受皿に受けた漏液を内側面の屈曲部近傍に集約させることができるという効果がある。
【００１５】
また、配管の流路は、受皿の内側面の屈曲部近傍において回収空間に連通されているので、受皿の内側面の屈曲部近傍に集約させた漏液を受皿から効率良く排出することができる。よって、受皿に漏液を残存させることなく確実に排出できるという効果がある。
【００１６】
請求項３記載のタンクコンテナ用漏液回収具によれば、請求項１又は２に記載のタンクコンテナ用漏液回収具の奏する効果に加え、配管の端部であって受皿に接続される端部とは反対の端部側に突設される突起部を備えているので、その突起部にバケツ等の容器を掛止しつつ、配管から排出される漏液を容器に受けることができる。よって、地上に容器を置いて配管から排出される漏液を受ける場合や基地に設置された設備により受ける場合と比較して、配管の長さを短縮でき、その分、タンクコンテナ用漏液回収具の製造コストを安価に抑えることができるという効果がある。更に、突起部に容器を掛止できるので、漏液が配管から排出し切るまでの間、作業者が容器を支え続ける必要がなく、漏液の回収作業を効率良く行うことができるという効果がある。
【００１７】
請求項４記載のタンクコンテナ用漏液回収具によれば、請求項３記載のタンクコンテナ用漏液回収具の奏する効果に加え、突起部は、基体がタンクコンテナのフレームに取り付けられた状態においてフレームに対して所定方向側に配置され、基体の係止部は、基体がタンクコンテナのフレームに取り付けられた状態においてかかる所定方向側および所定方向と反対方向側からフレームに係止可能に構成されているので、フレームからの基体の脱落を防止できるという効果がある。
【００１８】
即ち、突起部は、基体がタンクコンテナのフレームに取り付けられた状態においてフレームに対して所定方向側に配置されるので、突起部にバケツ等の容器を掛止すると、容器の重みにより重心が偏倚し、その結果、基体がフレームから脱落し易くなる。
【００１９】
これに対し、基体の係止部は、基体がタンクコンテナのフレームに取り付けられた状態においてかかる所定方向側および所定方向と反対方向側からフレームに係止可能に構成されているので、容器の重みにより重心が偏倚しても、基体をフレームに確実に固定することができる。よって、フレームからの基体の脱落を防止できる。
【００２０】
請求項５記載のタンクコンテナ用漏液回収具によれば、請求項１から４のいずれかに記載のタンクコンテナ用漏液回収具の奏する効果に加え、作業者が把持可能に構成される一対の把持部を備えているので、作業者は、一対の把持部を把持しつつ、基体をタンクコンテナのフレームに取り付けることができる。よって、フレームへの基体の取り付け作業を容易に行うことができるという効果がある。
【００２１】
また、一対の把持部は、基体がタンクコンテナのフレームに取り付けられた状態において垂直方向に延設される垂直部と、その垂直部の延設方向と直交する水平方向に延設される水平部とを備えているので、作業者は、自身の身長に応じて垂直部または水平部のいずれかを把持できる。よって、作業者の身長に左右されることなくフレームへの基体の取り付け作業を容易に行うことができるという効果がある。
【図面の簡単な説明】
【００２２】
【図１】タンクコンテナの側面図である。
【図２】（ａ）は、本発明の一実施の形態におけるタンクコンテナ用漏液回収具の上面図であり、（ｂ）は、図２（ａ）のＩＩｂ−ＩＩｂ線におけるタンクコンテナ用漏液回収具の断面図であり、（ｃ）は、タンクコンテナ用漏液回収具の正面図であり、（ｄ）は、タンクコンテナ用漏液回収具の側面図である。
【図３】タンクコンテナ用漏液回収具の使用方法を説明する図である。
【発明を実施するための形態】
【００２３】
以下、本発明の好ましい実施の形態について添付図面を参照して説明する。まず、図１を参照して、本発明の一実施の形態におけるタンクコンテナ用漏液回収具１が使用されるタンクコンテナ１００について説明する。図１は、タンクコンテナ１００の側面図である。なお、図１では、タンクコンテナ用漏液回収具１がタンクコンテナ１００に取り付けられた状態を図示している。
【００２４】
タンクコンテナ１００は、図１に示すように、コンテナ車２００等により貨物を輸送するためのコンテナの一種であり、矩形枠状に構成されるフレーム１０１と、そのフレーム１０１に支持されるタンク１０２とを主に備え、タンク１０２に液体を貯留可能に構成されている。
【００２５】
また、タンクコンテナ１００には、タンク１０２に貯留された液体を外部へ取り出す取出口１０３と、タンク１０２から取出口１０３までの液体の流路を形成する取出配管１０４と、その取出配管１０４の流路を開閉するコック１０５とが設けられ、取出口１０３がタンク１０２の左側面（図１紙面手前側の面）及び右側面（図１紙面奥側の面）にそれぞれ配設されている。
【００２６】
このタンクコンテナ１００は、輸送先となる基地に到着した後、基地に設置されたホースＨ（図３参照）等が取出口１０３に接続され、コック１０５が開かれることで、タンク１０２に貯留された液体がホースＨを介して基地に供給される。
【００２７】
ところで、タンク１０２に貯留された液体を基地に供給した後、取出口１０３に接続されたホースＨを取り外す際には、例えコック１０５が閉じられていても、コック１０５から取出口１０３までの配管１０４内に残存する液体が取出口１０３から漏れ出してしまう。そこで、取出口１０３から漏れ出した漏液が垂れ流しとなるのを防ぐべく、かかる漏液を回収するためにタンクコンテナ用漏液回収具１が使用される。
【００２８】
次いで、図２を参照して、タンクコンテナ用漏液回収具１について説明する。図２（ａ）は、本発明の一実施の形態におけるタンクコンテナ用漏液回収具１の上面図であり、図２（ｂ）は、図２（ａ）のＩＩｂ−ＩＩｂ線におけるタンクコンテナ用漏液回収具１の断面図であり、図２（ｃ）は、タンクコンテナ用漏液回収具１の正面図であり、図２（ｄ）は、タンクコンテナ用漏液回収具１の側面図である。なお、図２の矢印Ｕ−Ｄ、Ｌ−Ｒ、Ｆ−Ｂは、タンクコンテナ用漏液回収具１の上下方向、左右方向、前後方向をそれぞれ示している。
【００２９】
タンクコンテナ用漏液回収具１は、上述したように、タンクコンテナ１００の取出口１０３から漏れ出した漏液を回収するための器具であり、図２に示すように、基体１０と、その基体１０に固定される受皿２０と、その受皿２０に接続される配管３０とを主に備えている。
【００３０】
基体１０は、タンクコンテナ用漏液回収具１の使用時にタンクコンテナ１００のフレーム１０１に取り付けられる部材であり、図２（ｄ）に示すように、側面視Ｌ字状に構成され、その前方側（矢印Ｆ方向側）及び後方側（矢印Ｂ方向側）の各縁部には、係止部１０ａ，１０ｂがそれぞれ設けられている。
【００３１】
図２（ｄ）に示すように、係止部１０ａ，１０ｂは、基体１０の前方側（矢印Ｆ方向側）及び後方側（矢印Ｂ方向側）の各縁部から下方（矢印Ｄ方向）へ向けて延設され、タンクコンテナ１００のフレーム１０１に係止可能に構成されている（図３参照）。
【００３２】
また、図２（ａ）及び図２（ｃ）に示すように、基体１０には、受皿２０を挟んで左側方（矢印Ｌ方向）及び右側方（矢印Ｒ方向）に一対の把持部１１，１１が設けられている。図２（ｄ）に示すように、把持部１１は、上下方向（矢印Ｕ−Ｄ方向）に延設される垂直部１１ａと、前後方向（矢印Ｆ−Ｂ方向）に延設される水平部１１ｂとを有し、作業者が把持可能に構成されている。
【００３３】
受皿２０は、タンクコンテナ１００の取出口１０３から漏れ出した漏液を受ける部材であり、上方（矢印Ｕ方向）が開放された回収空間Ｓを形成する容器状に構成されている。図２（ａ）に示すように、受皿２０は、回収空間Ｓの前方側（矢印Ｆ方向側）の側面を形成する内側面２０ａが外方（矢印Ｆ方向）へ向けて凸状に屈曲して構成されると共に、図２（ｂ）に示すように、回収空間Ｓの底面を形成する内底面２０ｂが内側面２０ａ側へ向かうに従って下降傾斜して構成されている。
【００３４】
これにより、受皿２０に受けた漏液を内底面２０ｂの傾斜に沿って内側面２０ａ側へ向けて流下させると共に、内側面２０ａ側へ向けて流下させた漏液を内側面２０ａに沿ってその屈曲部へと導くことができる。よって、受皿２０に受けた漏液を内側面２０ａの屈曲部近傍に集約させることができる。
【００３５】
配管３０は、受皿２０に受けた漏液を外部へ排出する部材であり、受皿２０の回収空間Ｓに連通される流路Ｐを形成する筒状に構成されている。図２（ｄ）に示すように、配管３０は、基体１０よりも前方（矢印Ｆ方向）であって受皿２０の下部から下方（矢印Ｄ方向）へ向けて直線状に延設され、その流路Ｐは、図２（ａ）に示すように、受皿２０の内側面２０ａの屈曲部近傍において回収空間Ｓに連通されている。
【００３６】
これにより、受皿２０の内側面２０の屈曲部近傍に集約させた漏液を受皿２０から効率良く排出することができる。よって、受皿２０に漏液を残存させることなく確実に排出することができる。
【００３７】
また、図２（ｃ）及び図２（ｄ）に示すように、配管３０にはコック３１が設けられ、そのコック３１を開くことで、流路Ｐが連通され受皿２０からの漏液の排出が可能となる一方、コック３１を閉じることで、流路Ｐが遮断され受皿２０からの漏液の排出を停止可能に構成されている。なお、必ずしもコック３１を設ける必要はなく、コック３１を省略しても良い。
【００３８】
更に、図２（ｃ）及び図２（ｄ）に示すように、配管３０の端部であって受皿２０に接続される端部とは反対の端部側（矢印Ｄ方向側）には、突起部３２が設けられている。突起部３２は、上方（矢印Ｕ方向）へ向けて鉤形状に屈曲して突設され、バケツ等の容器Ｃ（図３参照）を掛止可能に構成されている。なお、突起部３２の形状は、鉤形状に限られるものではなく、単なる直線状など他の形状であっても良い。
【００３９】
次いで、図３を参照して、上述したように構成されるタンクコンテナ用漏液回収具１の使用方法について説明する。図３は、タンクコンテナ用漏液回収具１の使用方法を説明する図である。なお、図３では、Ｘで示す部分を拡大して図示している。また、図３は、図１のＩＩＩ−ＩＩＩ線における断面図に対応する。
【００４０】
タンクコンテナ用漏液回収具１の使用時には、図３に示すように、基体１０をタンクコンテナ１００のフレーム１０１に取り付ける。この場合、基体１０の係止部１０ａ，１０ｂをタンクコンテナ１００のフレーム１０１に係止することで、基体１０をフレーム１０１に固定することができる。よって、基体１０を安定した状態でタンクコンテナ１００のフレーム１０１に取り付けることができる。
【００４１】
また、基体１０には、作業者が把持可能な一対の把持部１１，１１が設けられているので、作業者は、一対の把持部１１，１１を把持しつつ、基体１０をタンクコンテナ１００のフレーム１０１に取り付けることができる。よって、フレーム１０１への基体１０の取り付け作業を容易に行うことができる。
【００４２】
ここで、タンクコンテナ１００から基地への液体の供給は、一般に、タンクコンテナ１００がコンテナ車２００等に積載された状態（図１に示す状態）で行われるため、基体１０をタンクコンテナ１００のフレーム１０１に取り付ける際には、作業者の身長に応じて基体１０を持ち上げる高さが変化する。
【００４３】
これに対し、把持部１１は、基体１０がタンクコンテナ１００のフレーム１０１に取り付けられた状態において垂直方向（図３上下方向）に延設される垂直部１１ａと、その垂直部１１ａの延設方向と直交する水平方向（図３左右方向）に延設される水平部１１ｂとを有しているので、作業者は、自身の身長に応じて垂直部１１ａ又は水平部１１ｂのいずれかを把持することができる。よって、作業者の身長に左右されることなくフレーム１０１への基体１０の取り付け作業を容易に行うことができる。
【００４４】
また、配管３０には、バケツ等の容器Ｃを掛止可能な突起部３２が設けられているので、その突起部３２に容器Ｃを掛止しつつ、配管３０から排出される漏液を容器Ｃに受けることができる。よって、地上に容器Ｃを置いて配管３０から排出される漏液を受ける場合や基地に設置された設備により受ける場合と比較して、配管３０の長さを短縮でき、その分、タンクコンテナ用漏液回収具１の製造コストを安価に抑えることができる。更に、突起部３２に容器Ｃを掛止できるので、漏液が配管３０から排出し切るまでの間、作業者が容器Ｃを支え続ける必要がなく、漏液の回収作業を効率良く行うことができる。
【００４５】
なお、配管３０には、漏液の排出を停止可能なコック３１が設けられているので、容器Ｃに漏液が満たされた場合には、容器Ｃ内の漏液を処理するまでの間、一時的に配管３０からの漏液の排出を停止して、漏液が垂れ流しとなるのを防ぐことができる。
【００４６】
ここで、突起部３２は、基体１０がタンクコンテナ１００のフレーム１０１に取り付けられた状態においてフレーム１０１に対して外方側（図３左側）に配置されるので、突起部３２に容器Ｃを掛止すると、容器Ｃの重みにより重心がフレーム１０１の外方側（図３左側）に偏倚し、その結果、基体１０がフレーム１０１から脱落し易くなる。
【００４７】
これに対し、基体１０の係止部１０ａ，１０ｂは、基体１０がタンクコンテナ１００のフレーム１０１に取り付けられた状態において外方側（図３左側）及びその外方側と反対方向の内方側（図３右側）からフレーム１０１に係止可能に構成されているので、容器Ｃの重みにより重心がフレーム１０１の外方側に偏倚しても、基体１０をフレーム１０１に確実に固定することができる。よって、フレーム１０１からの基体１０の脱落を防止することができる。
【００４８】
以上説明したように、本実施の形態におけるタンクコンテナ用漏液回収具１によれば、必要に応じてタンクコンテナ１００に取り付けることができ、タンクコンテナ１００の取出口１０３から漏れ出した漏液を回収することができる。よって、従来のように、漏液の回収機構をタンクコンテナ１００自体に設ける必要がなく、その分、タンクコンテナ１００の構造を簡素化することができる。
【００４９】
更に、タンクコンテナ１００に取出口１０３が複数設けられている場合でも、タンクコンテナ用漏液回収具１を各取出口１０３に使い回して使用できるので、複数の取出口１０３から漏れ出した漏液を一括して回収可能な大型の回収機構や各取出口１０３に対応した複数の回収機構を必要とせず、その分、タンクコンテナ１００の製造コストを低減することができる。
【００５０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００５１】
例えば、上記実施の形態では、基体１０が側面視Ｌ字状に構成される場合を説明したが、必ずしもこれに限られるものではなく、基体１０を側面視コ字状など他の形状に構成しても良い。また、上記実施の形態では、基体１０の前方側および後方側の各縁部に係止部１０ａ，１０ｂがそれぞれ設けられる場合を説明したが、必ずしもこれに限られるものではなく、タンクコンテナ１００のフレーム１０１に係止可能に構成される少なくとも１の係止部を基体１０が有していれば良い。即ち、係止部の形状や個数については本実施の形態に限定されるものではない。
【００５２】
上記実施の形態では、受皿２０を挟んで左側方および右側方に一対の把持部１１，１１が設けられる場合を説明したが、必ずしもこれに限られるものではなく、把持部１１の配置や個数については本実施の形態に限定されるものではない。或いは、把持部１１を省略しても良い。また、上記実施の形態では、把持部１１が上下方向に延設される垂直部１１ａと前後方向に延設される水平部１１ｂとを有する場合を説明したが、必ずしもこれに限られるものではなく、水平部１１ｂを左右方向（図２の矢印Ｌ−Ｒ方向）に延設する構成としても良い。或いは、垂直部１１ａ又は水平部１１ｂのいずれか一方のみを有する構成としても良い。
【００５３】
上記実施の形態では説明を省略したが、本実施の形態では、受皿２０を基体１０に対して斜めに固定することで、受皿２０の内底面２０ｂが内側面２０ａ側へ向かうに従って下降傾斜するように構成したが、必ずしもこれに限られるものではなく、受皿２０の内底面２０ｂ自体を斜めに形成して、受皿２０の内底面２０ｂを内側面２０ａ側へ向かうに従って下降傾斜するように構成しても良い。
【符号の説明】
【００５４】
１                タンクコンテナ用漏液回収具
１０              基体
１０ａ，１０ｂ    係止部
１１              把持部
１１ａ            垂直部
１１ｂ            水平部
２０              受皿
２０ａ            内側面
２０ｂ            内底面
３０              配管
３２              突起部
１００            タンクコンテナ
１０１            フレーム
１０２            タンク
１０３            取出口
Ｐ                流路
Ｓ                回収空間
【図１】
2010285171.tif 000003
【図２】
2010285171.tif 000004
【図３】
2010285171.tif 000005